(57)【要約】【課題】  電源電圧の変動に対して良好な耐性を有し、且つ起動時間を短縮可能とする。【解決手段】  制御ノードｎ1に流れる電流に応じて、定電流Ｉｃｏｎｓｔを発生する定電流発生回路１２と、電源ＶＤＤと制御ノードｎ1との間に接続され、電源電圧の変動に対して定電流Ｉｃｏｎｓｔを安定させるコンデンサＣ1と、コンデンサＣ1に強制的に電流を流すことでコンデンサＣ1を充電するコンデンサ充電回路１３と、電源投入時から所定の条件が成立するまでの期間において、コンデンサ充電回路１３を動作させる制御回路１４とを備える。【選択図】  図１
2008015779.tif 000002
【特許請求の範囲】
【請求項１】
制御ノードに流れる電流に応じて、定電流を発生する定電流発生回路と、
電源と前記制御ノードとの間に接続され、電源電圧の変動に対して前記定電流を安定させるコンデンサと、
前記コンデンサに強制的に電流を流すことで前記コンデンサを充電するコンデンサ充電回路と、
電源投入時から所定の条件が成立するまでの期間において、前記コンデンサ充電回路を動作させる制御回路
とを備えることを特徴とする定電流源回路。
【請求項２】
前記制御回路は、前記電源電圧が基準電圧を超えるまでの期間において、前記コンデンサ充電回路を動作させることを特徴とする請求項１に記載の定電流源回路。
【請求項３】
前記電源電圧の立ち上がり時に、前記制御ノードに電流を流すことで前記定電流発生回路を起動するスタートアップ回路をさらに備え、
前記スタートアップ回路は、
一端が接地された第１抵抗と、
コレクタが前記電源に接続され、ベースが前記制御ノードに接続され、エミッタが前記第１抵抗の他端に接続されたスタートアップトランジスタとを備え、
前記コンデンサ充電回路は、
一端が前記制御ノードに接続された第２抵抗と、
ドレインが前記第２抵抗の他端に接続され、ゲートが前記制御回路に接続され、ソースが接地された充電用トランジスタとを備え、
前記第１抵抗の抵抗値が、前記第２抵抗の抵抗値よりも大きいことを特徴とする請求項１又は２に記載の定電流源回路。
【請求項４】
請求項１〜３のいずれか１項に記載の定電流源回路を備えることを特徴とする電源回路。
【発明の詳細な説明】
【技術分野】
【０００１】
本発明は、電源電圧の変動に対して出力電流を安定して出力可能な定電流源回路、この定電流源回路を備える電源回路に関する。
【背景技術】
【０００２】
定電流源回路として、図６に示すように、定電流Ｉｃｏｎｓｔを発生する定電流発生回路１２と、電源投入時に定電流発生回路１２を起動するスタートアップ回路１１と、電源電圧の変動に対して定電流Ｉｃｏｎｓｔを安定させるためのコンデンサＣ1とからなる定電流源回路が知られている。
【０００３】
定電流発生回路１２は、制御ノードｎ1に流れる電流に応じて定電流Ｉｃｏｎｓｔを発生する。スタートアップ回路１１は、電源投入時に、制御ノードｎ1に電流を流すことで、定電流発生回路１２を起動する。コンデンサＣ1は、電源ＶＤＤと制御ノードｎ1との間に接続される。
【０００４】
コンデンサＣ1に電荷が充電されている状態では、電源電圧が変動しても、コンデンサＣ1が制御ノードｎ1の電位を一定に保つよう機能するので、電源電圧が変動しても定電流Ｉｃｏｎｓｔを安定して供給することができる。
【特許文献１】特開２００６−５０４３７号公報
【発明の開示】
【発明が解決しようとする課題】
【０００５】
しかしながら、電源電圧投入時には、コンデンサＣ1を充電するために一定の時間を要する。コンデンサＣ1が充電されるまでは、制御ノードｎ1の電位が安定しないため、定電流Ｉｃｏｎｓｔの発生までの起動時間が増大することとなる。
【０００６】
上記問題点を鑑み、本発明は、電源電圧の変動に対して良好な耐性を有し、且つ起動時間を短縮可能な定電流源回路および電源回路を提供することを目的とする。
【課題を解決するための手段】
【０００７】
上記目的を達成するために、本発明の第１の特徴は、制御ノードに流れる電流に応じて、定電流を発生する定電流発生回路と、電源と制御ノードとの間に接続され、電源電圧の変動に対して定電流を安定させるコンデンサと、コンデンサに強制的に電流を流すことでコンデンサを充電するコンデンサ充電回路と、電源投入時から所定の条件が成立するまでの期間において、コンデンサ充電回路を動作させる制御回路とを備える定電流源回路であることを要旨とする。
【０００８】
この特徴によれば、電源電圧の変動に対して定電流を安定させるコンデンサと、コンデンサに強制的に電流を流すことでコンデンサを充電するコンデンサ充電回路と、電源電圧の立ち上がりから所定の条件が成立するまでの期間において、コンデンサ充電回路を動作させる制御回路とを備えるので、電源投入時にコンデンサを急速に充電することができる。このため、電源電圧の変動に対して良好な耐性を有し、起動時間を短縮可能な定電流源回路を提供できる。また、電源電圧の立ち上がりから所定の条件が成立した後は、コンデンサに強制的に電流を流す動作が停止するので、消費電流の増大を回避することができる。
【０００９】
第２の特徴は、第１の特徴に係る定電流源回路において、制御回路は、電源電圧が基準電圧を超えるまでの期間において、コンデンサ充電回路を動作させることを要旨とする。
【００１０】
この特徴によれば、制御回路は、電源電圧が基準電圧を超えるまでの期間において、コンデンサ充電回路を動作させ、電源電圧が基準電圧を超えるまでの期間にのみ電流をコンデンサに強制的に流すので、消費電流の増大を回避することができる。
【００１１】
第３の特徴は、第１又は第２の特徴に係る定電流源回路において、電源電圧の立ち上がり時に、制御ノードに電流を流すことで定電流発生回路を起動するスタートアップ回路をさらに備え、スタートアップ回路は、一端が接地された第１抵抗と、コレクタが電源に接続され、ベースが制御ノードに接続され、エミッタが第１抵抗の他端に接続されたスタートアップトランジスタとを備え、コンデンサ充電回路は、一端が制御ノードに接続された第２抵抗と、ドレインが第２抵抗の他端に接続され、ゲートが制御回路に接続され、ソースが接地された充電用トランジスタとを備え、第１抵抗の抵抗値が、第２抵抗の抵抗値よりも大きいことを要旨とする。
【００１２】
この特徴によれば、制御ノードに電流を流すための第１抵抗の抵抗値が、コンデンサに強制的に電流を流すための第２抵抗の抵抗値よりも大きいので、制御ノードに流れる電流は小さい量としつつ、コンデンサに強制的に流れる電流は大きい量にすることができるので、消費電流の削減を図ると共に、コンデンサを急速に充電することができる。
【００１３】
第４の特徴は、第１〜第３のいずれかの特徴に係る定電流源回路を備える電源回路であることを要旨とする。
【００１４】
この特徴によれば、定電流源回路が、電源電圧の変動に対して良好な耐性を有し、起動時間を短縮可能であるので、電源電圧の変動に対して良好な耐性を有し、安定した出力電圧の発生までに要する時間を短縮可能な電源回路を提供できる。
【発明の効果】
【００１５】
本発明によれば、電源電圧の変動に対して良好な耐性を有し、且つ起動時間を短縮可能な定電流源回路および電源回路を提供できる。
【発明を実施するための最良の形態】
【００１６】
次に、図面を参照して、本発明の実施形態を説明する。以下の実施形態における図面の記載において、同一又は類似の部分には同一又は類似の符号を付している。
【００１７】
（定電流源回路）
本実施形態に係る定電流源回路１は、図１に示すように、コンデンサＣ1と、スタートアップ回路１１と、定電流発生回路１２と、コンデンサ充電回路１３と、制御回路１４とを備える。定電流発生回路１２は、制御ノードｎ1に流れる電流に応じて、定電流Ｉｃｏｎｓｔを発生する。コンデンサＣ1は、電源ＶＤＤと制御ノードｎ1との間に接続され、電源電圧の変動に対して定電流Ｉｃｏｎｓｔを安定させる。コンデンサ充電回路１３は、コンデンサＣ1に強制的に電流を流すことでコンデンサＣ1を充電する。制御回路１４は、電源電圧が基準電圧Ｖｒｅｆを超えるまでの期間において、コンデンサ充電回路１３を動作させる。スタートアップ回路１１は、電源電圧の立ち上がり時に、制御ノードｎ1に電流を流すことで定電流発生回路１２を起動する。
【００１８】
このように、定電流源回路１は、電源投入時にコンデンサＣ1を急速に充電可能な構成を有している。コンデンサＣ1に充電された電荷より、電源電圧が変動しても、定電流Ｉｃｏｎｓｔが維持される。例えば、図２（ａ）に示すように、電源電圧を時刻ｔ１において増加させ、時刻ｔ２において減少させた場合、コンデンサＣ1を設けていない場合は、図２（ｂ）に示すように、電源電圧の変動によって定電流Ｉｃｏｎｓｔが変化している。一方、コンデンサＣ1を設けている場合は、図２（ｂ）に示すように、電源電圧の変動によっても、定電流Ｉｃｏｎｓｔの変化量が小さいものとなっている。
【００１９】
スタートアップ回路１１は、抵抗Ｒ1と、ｎｐｎ型のバイポーラトランジスタ（以下、「ｎｐｎトランジスタ」）Ｑ1とを備える。抵抗Ｒ1の一端はグラウンドに接続される。ｎｐｎトランジスタＱ1は、コレクタが電源ＶＤＤに接続され、ベースが制御ノードｎ1に接続され、エミッタが抵抗Ｒ1の他端に接続される。
【００２０】
定電流発生回路１２は、抵抗Ｒ5，Ｒ6，Ｒ7と、ｐｎｐ型のバイポーラトランジスタ（以下、「ｐｎｐトランジスタ」）Ｑ2，Ｑ3，Ｑ6と、ｎｐｎトランジスタＱ4，Ｑ5とを備える。なお、抵抗Ｒ6、ｐｎｐトランジスタＱ3、ｎｐｎトランジスタＱ5、および抵抗Ｒ7は、それぞれ複数個設けられているが、説明の便宜上、それぞれの個数が１つであるとして説明する。
【００２１】
抵抗Ｒ5，Ｒ6のそれぞれの一端は、電源ＶＤＤに接続される。抵抗Ｒ7の一端は、グラウンドに接続される。ｎｐｎトランジスタＱ4，Ｑ5は、カレントミラー回路を構成している。すなわち、ｎｐｎトランジスタＱ4，Ｑ5はベースを共通に接続し、ｎｐｎトランジスタＱ4のベースは、自己のコレクタに接続される。ｎｐｎトランジスタＱ4のエミッタは接地され、ｎｐｎトランジスタＱ5のエミッタは抵抗Ｒ7の他端に接続される。この結果、ｎｐｎトランジスタＱ5のコレクタ電流は、ｎｐｎトランジスタＱ4のコレクタ電流からミラー比に応じて決定される。
【００２２】
ｐｎｐトランジスタＱ2は、エミッタが抵抗Ｒ5の他端に接続され、ベースが制御ノードｎ1に接続され、コレクタがｎｐｎトランジスタＱ4のコレクタおよびベースに接続される。ｐｎｐトランジスタＱ3は、エミッタが抵抗Ｒ6の他端に接続され、ベースが制御ノードｎ1に接続され、ｎｐｎトランジスタＱ5とコレクタが共通に接続される。また、ｐｎｐトランジスタＱ3のコレクタは、自己のベースに接続される。
【００２３】
さらに、出力段のｐｎｐトランジスタＱ6は、エミッタが電源ＶＤＤに接続され、ベースが制御ノードｎ1に接続される。ｐｎｐトランジスタＱ6のコレクタ電流は、定電流Ｉｃｏｎｓｔとして利用される。
【００２４】
コンデンサ充電回路１３は、抵抗Ｒ2と、ｎチャネル型のＭＯＳトランジスタ（以下、「ｎＭＯＳトランジスタ」）Ｔｒ1とを備える。抵抗Ｒ2の一端は、制御ノードｎ1に接続される。ｎＭＯＳトランジスタＴｒ1は、ドレインが抵抗Ｒ2の他端に接続され、ゲートが制御回路１４に接続され、ソースおよびバックゲートが接地される。
【００２５】
ここで、スタートアップ回路１１の抵抗Ｒ1の抵抗値は、コンデンサ充電回路１３の抵抗Ｒ2の抵抗値よりも大きい。制御ノードｎ1に電流を流すための抵抗Ｒ1の抵抗値が、コンデンサＣ1に強制的に電流を流すための抵抗Ｒ2の抵抗値よりも大きいので、制御ノードｎ1に流す電流は小さい量としつつ、コンデンサに強制的に流れる電流は大きい値としている。
【００２６】
制御回路１４は、抵抗Ｒ3，Ｒ4と、コンパレータ１４１とを備える。抵抗Ｒ3，Ｒ4は、電源ＶＤＤとグラウンドとの間で直列接続される。コンパレータ１４１は、抵抗Ｒ3，Ｒ4の接続点に非反転入力（−）が接続され、基準電圧Ｖｒｅｆが反転入力（＋）に印加される。コンパレータ１４１の出力は、コンデンサ充電回路１３のｎＭＯＳトランジスタＴｒ1のゲートに接続される。
【００２７】
コンパレータ１４１は、基準電圧Ｖｒｅｆと、抵抗Ｒ3，Ｒ4によって電源電圧を分圧して得られた電圧とを比較する。コンパレータ１４１は、基準電圧が上記分圧して得られた電圧よりも大きい場合はハイレベルの信号を出力し、上記分圧して得られた電圧が基準電圧Ｖｒｅｆよりも大きい場合はロウレベルの信号を出力する。
【００２８】
したがって、電源電圧が一定値になるまでは、ｎＭＯＳトランジスタＴｒ1はオン状態に保たれ、電源電圧が一定値になると、ｎＭＯＳトランジスタＴｒ1はターン・オフする。ｎＭＯＳトランジスタＴｒ1がオン状態に保たれている期間では、電源ＶＤＤから、コンデンサＣ1、抵抗Ｒ2、ｎＭＯＳトランジスタＴｒ1を介して電流がグラウンドに向けて流れ、コンデンサＣ1が急速に充電される。
【００２９】
以下に、定電流源回路１の動作について説明する。
【００３０】
先ず、電源電圧が投入されると、電源ＶＤＤから、抵抗Ｒ5、ｐｎｐトランジスタＱ2、ｎｐｎトランジスタＱ1、抵抗Ｒ1を介してグラウンドに至る電流経路と、電源ＶＤＤから、抵抗Ｒ6、ｐｎｐトランジスタＱ3、ｎｐｎトランジスタＱ1、抵抗Ｒ1を介してグラウンドに至る電流経路とにおいて電流が流れる。
【００３１】
また、ｎＭＯＳトランジスタＴｒ1はオン状態であるため、電源ＶＤＤから、コンデンサＣ1、抵抗Ｒ2、ｎＭＯＳトランジスタＴｒ1を介してグラウンドに向けて電流が流れ、コンデンサＣ1が急速に充電される。電源電圧が一定値になると、ｎＭＯＳトランジスタＴｒ1はターン・オフする。
【００３２】
定電流発生回路１２においては、電源ＶＤＤから、抵抗Ｒ5、ｐｎｐトランジスタＱ2、ｎｐｎトランジスタＱ4を介してグラウンドへ向けて電流が流れる。よって、電源ＶＤＤから、抵抗Ｒ6、ｐｎｐトランジスタＱ3、ｎｐｎトランジスタＱ5、抵抗Ｒ7を介してグラウンドへ向けて、ミラー比に応じた電流が流れる。よって、制御ノードｎ1に流れる電流（ｐｎｐトランジスタＱ6のベース電流）が一定に保たれるので、定電流Ｉｃｏｎｓｔが一定に保たれる。
【００３３】
（電源回路）
上述した定電流源回路１は、図３に示すように、例えば電源回路の内部に設けられる。図３に示す電源回路は、図１に示した定電流源回路１に加えて、基準電圧発生回路（ＢＧＲ；Band Gap Reference）１５と、基準電圧検知回路２０１と、ＬＤＯ（Low Dropout）レギュレータ回路２３と、出力検知回路２０２と、起動制御回路２０３と、出力トランジスタＴｒ4とを備えている。出力トランジスタＴｒ4としては、ｐチャネル型のパワーＭＯＳトランジスタが使用されている。なお、図１で示した制御回路１４は、基準電圧発生回路１５の内部に組み込まれている。つまり、図１で示したコンパレータ１４１の出力信号は、図３で示す起動信号ＳＴＲに相当する。
【００３４】
起動制御回路２０３は、外部からイネーブル信号ＥＮが入力された場合に、出力トランジスタＴｒ4を強制的にターン・オンする。出力トランジスタＴｒ4がターン・オンすると、出力端子２４を介して負荷２５に出力電圧Ｖｏｕｔが供給される。また、出力電圧Ｖｏｕｔは、定電流源回路１の電源電圧として、定電流源回路１に供給される。
【００３５】
出力検知回路２０２は、出力電圧Ｖｏｕｔを検知し、検知結果を検知電圧ＶｄｅｔとしてＬＤＯレギュレータ回路２３へ供給する。
【００３６】
基準電圧発生回路１５は、定電流源回路１からの定電流Ｉｃｏｎｓｔに応じて、基準電圧Ｖｒｅｆを生成する。ＬＤＯレギュレータ回路２３は、基準電圧Ｖｒｅｆと検知電圧Ｖｄｅｔとの差分に応じた電圧ＶLDOを出力する。
【００３７】
基準電圧検知回路２０１は、基準電圧発生回路１５が発生する基準電圧Ｖｒｅｆを検知する。また、基準電圧検知回路２０１は、基準電圧Ｖｒｅｆを検知した場合、起動制御回路２０３の動作を停止させる。起動制御回路２０３の動作が停止すると、出力トランジスタＴｒ4は、ＬＤＯレギュレータ回路２３の出力電圧ＶLDOによって制御される。
【００３８】
次に、基準電圧検知回路２０１、出力検知回路２０２、および起動制御回路２０３の構成について詳細に説明する。
【００３９】
基準電圧検知回路２０１は、抵抗Ｒ8，Ｒ9と、コンパレータ２１と、インバータ２２とを備える。抵抗Ｒ8，Ｒ9は、電源ＶＤＤとグラウンドとの間で直列接続される。コンパレータ２１は、非反転入力（＋）が抵抗Ｒ8，Ｒ9の接続点に接続され、基準電圧Ｖｒｅｆが反転入力（−）に印加される。コンパレータ２１の出力は、インバータ２２の入力に接続される。コンパレータ２１は、基準電圧発生回路１５が発生する起動信号ＳＴＲによって起動する。
【００４０】
出力検知回路２０２は、抵抗Ｒ10，Ｒ11を備える。抵抗Ｒ10，Ｒ11は、出力端子２４とグラウンドとの間で直列接続される。抵抗Ｒ10，Ｒ11の接続点は、ＬＤＯレギュレータ回路２３の反転入力（−）に接続される。
【００４１】
起動制御回路２０３は、ｎＭＯＳトランジスタＴｒ2，Ｔｒ3を備える。ｎＭＯＳトランジスタＴｒ2は、ドレインが出力トランジスタＴｒ4のゲートおよびＬＤＯレギュレータ回路２３の出力に接続され、インバータ２２の出力にゲートが接続される。ｎＭＯＳトランジスタＴｒ3は、ドレインがｎＭＯＳトランジスタＴｒ2のソースに接続され、イネーブル信号ＥＮがゲートに入力され、ソースが接地される。
【００４２】
以下に、図３に示す電源回路の動作について説明する。
【００４３】
先ず、外部からイネーブル信号ＥＮが入力されると、ｎＭＯＳトランジスタＴｒ3がターン・オンする。この時点では、コンパレータ２１はロウレベルの信号を出力しており、インバータ２２はハイレベルの信号を出力している。したがって、ｎＭＯＳトランジスタＴｒ2，Ｔｒ3はいずれもオン状態であり、出力トランジスタＴｒ4のゲートはロウレベルであるため、出力トランジスタＴｒ4がターン・オンする。
【００４４】
出力トランジスタＴｒ4がターン・オンすると、出力端子２４を介して電源ＶＤＤから負荷２５に出力電圧Ｖｏｕｔが供給される。また、出力電圧Ｖｏｕｔは、定電流源回路１に電源電圧として供給される。
【００４５】
定電流源回路１に電源電圧が供給されると、上述したように、定電流源回路１は定電流Ｉｃｏｎｓｔを発生する。なお、定電流源回路１においては、コンデンサ充電回路１３の動作によって、図４に示すように、従来の定電流源回路よりも短時間で起動する。
【００４６】
また、定電流Ｉｃｏｎｓｔが発生すると、基準電圧発生回路１５は、起動信号ＳＴＲを用いて、コンデンサ充電回路１３の動作を停止させるとともに、コンパレータ２１を起動する。また、基準電圧発生回路１５は、定電流Ｉｃｏｎｓｔに基づいて、基準電圧Ｖｒｅｆを生成する。基準電圧Ｖｒｅｆは、コンパレータ２１の反転入力（−）およびＬＤＯレギュレータ回路２３の非反転入力（＋）に印加される。
【００４７】
基準電圧Ｖｒｅｆが、抵抗Ｒ8，Ｒ9によって電源電圧を分圧して得られた電圧よりも大きくなると、コンパレータ２１の出力信号がロウレベルからハイレベルに切り替る。コンパレータ２１の出力信号がロウレベルからハイレベルに切り替ると、インバータ２２の出力信号がロウレベルとなり、ｎＭＯＳトランジスタＴｒ2がターン・オフする。また、ＬＤＯレギュレータ回路２３が起動する。
【００４８】
ＬＤＯレギュレータ回路２３は、図５に示すように、出力電圧Ｖｏｕｔを一定に保つよう、基準電圧Ｖｒｅｆと検知電圧Ｖｄｅｔとの差分に応じた電圧ＶLDOを出力する。
【００４９】
（作用および効果）
本実施形態によれば、電源電圧の変動に対して定電流を安定させるコンデンサＣ1と、コンデンサＣ1に強制的に電流を流すことでコンデンサＣ1を充電するコンデンサ充電回路１３と、電源電圧が基準電圧Ｖｒｅｆを超えるまでの期間にのみ、コンデンサＣ1に電流を強制的に流すようコンデンサ充電回路１３を制御する制御回路１４とを備えるので、電源投入時にコンデンサＣ1を急速に充電することができる。このため、電源電圧の変動に対して良好な耐性を有し、起動時間を短縮可能な定電流源回路１を提供できる。
【００５０】
また、本実施形態では、制御ノードｎ1に電流を流すための抵抗Ｒ1の抵抗値が、コンデンサＣ1に強制的に電流を流すための抵抗Ｒ2の抵抗値よりも大きいので、制御ノードｎ1に流れる電流は小さい量としつつ、コンデンサＣ1に強制的に流れる電流は大きい量にすることができるので、消費電流の増大を抑制すると共に、コンデンサＣ1を急速に充電することができる。
【００５１】
さらに、本実施形態に係る電源回路においては、定電流源回路１が、電源電圧の変動に対して良好な耐性を有し、起動時間を短縮可能であるので、電源電圧の変動に対して良好な耐性を有し、安定した出力電圧を発生するまでに要する時間を短縮可能な電源回路を提供できる。
【００５２】
（その他の実施形態）
上記のように、本発明は実施形態によって記載したが、この開示の一部をなす論述および図面はこの発明を限定するものであると理解すべきではない。この開示から当業者には様々な代替実施形態、実施例および運用技術が明らかとなる。
【００５３】
上述した実施形態においては、制御回路１４が、電源電圧が基準電圧Ｖｒｅｆを超えるまでの期間においてコンデンサ充電回路１３を動作させる一例について説明した。しかしながら、制御回路１４がタイマ等を備え、電源投入時から一定期間を計時し、一定時間が経過するまでコンデンサ充電回路１３を動作させる構成であっても良い。
【００５４】
また、スタートアップ回路１１および定電流発生回路１２の内部で使用されるトランジスタとしてバイポーラトランジスタを使用する一例を説明したが、バイポーラトランジスタに代えてＭＯＳトランジスタ等の電界効果型のトランジスタを使用してもかまわない。
【００５５】
さらに、図１に示した定電流源回路１および図３に示した電源回路のそれぞれは、同一の半導体チップ上にモノリシックに集積化し、半導体集積回路として構成可能である。
【００５６】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【００５７】
【図１】本発明の実施形態に係る定電流源回路の構成例を示す回路図である。
【図２】本発明の実施形態に係る定電流源回路における電源変動時の動作を説明するための波形図である。
【図３】本発明の実施形態に係る電源回路の構成例を示す回路図である。
【図４】本発明の実施形態に係る定電流源回路の動作を説明するための波形図である。
【図５】本発明の実施形態に係る電源回路の動作を説明するための波形図である。
【図６】本発明の背景技術に係る定電流源回路の構成を示すブロック図である。
【符号の説明】
【００５８】
１…定電流源回路
１１…スタートアップ回路
１２…定電流発生回路
１３…コンデンサ充電回路
１４…制御回路
１５…基準電圧発生回路
２１…コンパレータ
２２…インバータ
２３…ＬＤＯレギュレータ回路
２４…出力端子
２５…負荷
１４１…コンパレータ
２０１…基準電圧検知回路
２０２…出力検知回路
２０３…起動制御回路
Ｃ1…コンデンサ
Ｑ1，Ｑ4，Ｑ5…ｎｐｎトランジスタ
Ｑ2，Ｑ3，Ｑ6…ｐｎｐトランジスタ
Ｒ1〜Ｒ11…抵抗
ｎ1…制御ノード
Ｔｒ1〜Ｔｒ3…ｎＭＯＳトランジスタ
Ｔｒ4…出力トランジスタ
【図１】
2008015779.tif 000003
【図２】
2008015779.tif 000004
【図３】
2008015779.tif 000005
【図４】
2008015779.tif 000006
【図５】
2008015779.tif 000007
【図６】
2008015779.tif 000008